(57)【要約】【課題】受信信号と共にパルスノイズを受信した際、受信信号の品質を向上することが可能な受信機及びプログラムを提供すること。【解決手段】本開示に係る受信機１０は、受信信号から分岐したモニタ用受信信号を増幅する受信増幅部１１と、増幅後のモニタ用受信信号の振幅を所定範囲内に収めるＡＧＣ動作の利得設定値を受信増幅部１１に設定する制御部１２と、利得設定値の変化を監視し、利得設定値の変化が所定の条件を満たすか否かに基づいて、受信信号にパルスノイズが含まれるか否かを判定する判定部１３と、パルスノイズが含まれると判定された場合、所定の期間、受信信号を所定減衰量Ｄａで減衰させるパルスノイズ除去部と、を備える。【選択図】図１
2019169861.tif 000002
【特許請求の範囲】
【請求項１】
受信信号から分岐したモニタ用受信信号を増幅する受信増幅部と、
増幅後のモニタ用受信信号の振幅を所定範囲内に収めるＡＧＣ動作の利得設定値を前記受信増幅部に設定する制御部と、
前記利得設定値の変化を監視し、前記利得設定値の変化が所定の条件を満たすか否かに基づいて、前記受信信号にパルスノイズが含まれるか否かを判定する判定部と、
前記パルスノイズが含まれると判定された場合、所定の期間、前記受信信号を所定減衰量で減衰させるパルスノイズ除去部と、
を備える受信機。
【請求項２】
前記制御部は、
増幅後の受信信号を整流する絶対値算出部と、
整流された信号を平滑して信号値とする積分処理部と、
前記信号値と所定の基準値との差分値を算出する差分算出部と、
前記差分値に基づき前記利得設定値を制御する、アタック制御部およびリリース制御部と、を有し、
前記判定部は、
前記信号値が前記所定の基準値を超えた期間における前記利得設定値の変化が、その変化に要する期間は所定期間閾値未満であり、且つ、変化量は所定変化量閾値を超える場合、パルスノイズが含まれると判定することを特徴とする、
請求項１に記載の受信機。
【請求項３】
前記パルスノイズ除去部は、
前記パルスノイズを減衰させる減衰部と、前記パルスノイズを遅延させる遅延部とを有し、
前記判定部は、
パルスノイズが含まれると判定した場合に、前記減衰部に所定の減衰量の減衰を行うブランキング期間を設定し、
前記遅延部は、前記受信信号のパルスノイズを遅延させ、前記ブランキング期間と同期させることを特徴とする、
請求項１又は２に記載の受信機。
【請求項４】
前記受信機は、排他的に使用する複数のフィルタを備え、
前記判定部は、前記フィルタの種類に基づいて、前記ブランキング期間を設定する、
請求項３に記載の受信機。
【請求項５】
受信信号から分岐したモニタ用受信信号であって受信増幅部が増幅した増幅後の前記モニタ用受信信号の振幅を所定範囲内に収めるように利得設定値を前記受信増幅部に設定し、
前記利得設定値の変化が、その変化に要する期間は所定期間閾値未満であり、且つ、変化量は所定変化量閾値を超える場合、前記受信信号にパルスノイズが含まれると判定し、
前記パルスノイズが含まれると判定された場合、所定の期間だけ、前記受信信号を所定減衰量で減衰させる、
ことをコンピュータに実行させるプログラム。
【発明の詳細な説明】
【技術分野】
【０００１】
本発明は受信機及びプログラムに関し、特に受信信号と共にパルスノイズを受信した際、受信信号の品質を向上することが可能な受信機及びプログラムに関する。
【背景技術】
【０００２】
受信信号をＩＦ(Intermediate Frequency)帯域の信号に変換し、変換後のＩＦ帯域のＩＦ信号を増幅する受信機が知られている。受信機は、増幅部でＩＦ信号を増幅し、増幅部は、その利得を自動で制御するＩＦ−ＡＧＣ(Automatic Gain Control)機能を有する。
【０００３】
特許文献１には、入力信号の被変調波のピークに基づくピーク曲線を閾値の基準となる閾値基準曲線として導出し、閾値基準曲線に所定のオフセット値を加算して閾値曲線を導出することが記載されている。また、特許文献１には、導出された閾値曲線に基づいて、入力信号が閾値曲線未満であれば減衰せず、入力信号が閾値以上であれば、入力信号の増加に従って漸減するように、減衰特性線を導出することが記載されている。また、特許文献１には、減衰特性線に基づいて入力信号を減衰するノイズブランカが記載されている。特許文献１には、ＩＦ信号から分岐したモニタ用ＩＦ信号に対してＩＦ−ＡＧＣ機能を有する受信機が、ＩＦ信号と共にパルスノイズを受信した際にＩＦ信号の了解度が低下しないようにする方法は記載されていない。
【先行技術文献】
【特許文献】
【０００４】
【特許文献１】特開２０１３−７４５６７号公報
【発明の概要】
【発明が解決しようとする課題】
【０００５】
ＩＦ−ＡＧＣ機能を有する受信機は、受信信号と共に、例えば、電燈のスイッチング動作に伴って発生するパルスノイズを受信する場合がある。このような場合、ＩＦ−ＡＧＣ機能を有する受信機は、受信信号の振幅よりも大きな振幅を有するパルスノイズに合わせて利得を制御する。これにより、パルスノイズの振幅よりも小さな振幅の受信信号は、その振幅が低下するため、了解度が低下し、若しくは音声が聞こえなくなる。このように、ＩＦ−ＡＧＣ機能を有する受信機が受信信号と共にパルスノイズを受信した際、受信信号の品質が低下するという問題があった。
本発明は、受信信号と共にパルスノイズを受信した際、受信信号の品質を向上することが可能な受信機及びプログラムを提供することを課題とする。
【課題を解決するための手段】
【０００６】
そこで、本開示は、
受信信号から分岐したモニタ用受信信号を増幅する受信増幅部と、
増幅後のモニタ用受信信号の振幅を所定範囲内に収めるＡＧＣ動作の利得設定値を前記受信増幅部に設定する制御部と、
前記利得設定値の変化を監視し、前記利得設定値の変化が所定の条件を満たすか否かに基づいて、前記受信信号にパルスノイズが含まれるか否かを判定する判定部と、
前記パルスノイズが含まれると判定された場合、所定の期間、前記受信信号を所定減衰量で減衰させるパルスノイズ除去部と、
を備える受信機を提供する。
【０００７】
また、本開示は、
受信信号から分岐したモニタ用受信信号であって受信増幅部が増幅した増幅後の前記モニタ用受信信号の振幅を所定範囲内に収めるように利得設定値を前記受信増幅部に設定し、
前記利得設定値の変化が、その変化に要する期間は所定期間閾値未満であり、且つ、変化量は所定変化量閾値を超える場合、前記受信信号にパルスノイズが含まれると判定し、
前記パルスノイズが含まれると判定された場合、所定の期間だけ、前記受信信号を所定減衰量で減衰させる、
ことをコンピュータに実行させるプログラムを提供する。
【発明の効果】
【０００８】
本発明によれば、受信信号と共にパルスノイズを受信した際、受信信号の品質を向上することが可能な受信機及びプログラムを提供することができる。
【図面の簡単な説明】
【０００９】
【図１】実施の形態に係る受信機を例示するブロック図である。
【図２】実施の形態に係る受信機を例示するブロック図である。
【図３】実施の形態に係る受信機の動作を例示するフローチャートである。
【図４Ａ】パルスノイズ除去部に入力するＩＦ信号を例示するグラフである。
【図４Ｂ】ブランキング信号を例示するグラフである。
【図４Ｃ】パルスノイズ除去部から出力するＩＦ信号を例示するグラフである。
【発明を実施するための形態】
【００１０】
［実施の形態］
以下、図面を参照して本発明の実施の形態について説明する。
【００１１】
先ず、実施の形態に係る受信機の概要を説明する。
図１は、実施の形態に係る受信機１０を例示するブロック図である。
【００１２】
図１に示すように、実施の形態に係る受信機１０は、受信増幅部１１と、制御部１２と、判定部１３と、パルスノイズ除去部１４と、を備える。
【００１３】
受信増幅部１１は、受信信号から分岐したモニタ用受信信号を増幅する。
【００１４】
制御部１２は、増幅後のモニタ用受信信号の振幅を所定範囲内に収めるように利得設定値を受信増幅部１１に設定する。受信増幅部１１は、利得設定値に基づいてモニタ用受信信号を増幅する。
【００１５】
判定部１３は、利得設定値の変化が所定変化量閾値を超えた期間が所定期間閾値未満である場合、受信信号にパルスノイズが含まれると判定する。
【００１６】
パルスノイズ除去部１４は、受信信号にパルスノイズが含まれると判定された場合、パルスノイズの発生からブランキング期間Ｔｂだけ、受信信号の振幅を所定減衰量Ｄａだけ減衰させる。ブランキング期間Ｔｂは、例えば、パルスノイズが含まれると判定された期間であってもよい。
【００１７】
受信増幅部１１が増幅した後のモニタ用受信信号の振幅を所定範囲内に収めるように利得設定値を受信増幅部１１に設定する機能を、ＡＧＣ機能と称する。ＩＦ帯域のＩＦ信号に対するＡＧＣを、ＩＦ−ＡＧＣと称する。受信機１０は、このＩＦ−ＡＧＣ機能を有する。受信機１０は、ＩＦ信号においてＩＦ−ＡＧＣ機能が必要な場合、例えば、パルスノイズ除去部１４の後段にＩＦ−ＡＧＣ機能を有する受信増幅部（図示しない）を設けてもよい。
【００１８】
ここで、ＩＦ−ＡＧＣ機能を説明する。
【００１９】
ＩＦ−ＡＧＣ機能は、受信増幅部１１が増幅した後の信号の振幅を、所定範囲内に収めるため、受信増幅部１１に設定するＡＧＣ電圧を制御する。ＡＧＣ電圧を上げると受信増幅部１１の利得が増加し、受信増幅部１１から出力される出力信号の振幅が大きくなる。ＡＧＣ電圧を下げると受信増幅部１１の利得が低下し、受信増幅部１１から出力される出力信号の振幅が小さくなる。
【００２０】
ＩＦ−ＡＧＣ機能は、出力信号の一部を、整流、平滑し、出力信号の振幅に応じた信号値（例えば直流電位）とする。信号値と、所定の基準値とを比較し、所定の基準値（リファレンスレベル）を超えた場合に、受信増幅部１１の利得を下げ、出力信号の振幅が所定範囲内に収めるよう制御する。
【００２１】
ここで、受信機１０が、パルスノイズを受信した場合のＩＦ−ＡＧＣ機能を説明する。
【００２２】
パルスノイズは、数ミリ秒程度までの短い期間において大きな振幅を有するノイズ信号である。ＩＦ−ＡＧＣ機能を有する受信機１０は、このパルスノイズが入力した場合、基準値（リファレンスレベル）以上の振幅を有するパルスノイズを所定範囲内に収めるために、ＡＧＣ電圧を下げて受信増幅部１１の利得を下げる動作を行う。この動作をアタック動作と称する。アタック動作では、パルスノイズの振幅を所定範囲内に収めるために、例えば、２ミリ秒程度の時間を掛けてＡＧＣ電圧を低下させて受信増幅部１１の利得を下げる。
【００２３】
一方、パルスノイズが過ぎ去った後は、パルスノイズが無くなるので、受信増幅部１１に入力する信号の振幅は下がる。このため、受信機１０は、下がっていた利得を回復させる（上昇させる）ために、ＡＧＣ電圧を上げて受信増幅部１１の利得を上げる動作を行う。この動作をリリース動作と称する。リリース動作では、例えば、１００ミリ秒から１０秒程度の時間を掛けてＡＧＣ電圧を上げて受信増幅部１１の利得を回復させる。
【００２４】
また、受信機１０が受信信号と共にパルスノイズを受信した場合（受信信号にパルスノイズが含まれる場合）、パルスノイズが受信機１０に入力される毎に、アタック動作により受信増幅部１１の利得が下がる。このため、リリース動作中は目的とする受信信号の振幅が小さくなる。モニタ受信信号は、音声信号の復調を目的としたリリース動作は不要としてもよいため、パルスノイズの周期に対して十分に短いリリース時間であることが望ましい。
【００２５】
そこで、実施の形態に係る受信機１０は、受信信号にパルスノイズが含まれると判定された場合、パルスノイズの発生からブランキング期間Ｔｂだけ、受信信号の振幅を所定減衰量Ｄａだけ減衰させる。ブランキング期間Ｔｂは、例えば、パルスノイズが含まれると判定された期間である。そして、受信機１０は、ブランキング期間Ｔｂ以外は、受信信号の振幅を減衰させない。これにより、受信機１０は、パルスノイズを抑圧し除去するので、目的とする受信信号を受信することができる。
【００２６】
次に、実施の形態に係る受信機の詳細を説明する。
図２は、実施の形態に係る受信機を例示するブロック図である。
図２では、受信信号がＩＦ帯域のＩＦ信号に変換され、該変換されたＩＦ信号を例に挙げて説明する。実施の形態は、これには限定されない。
【００２７】
図２に示すように、受信機１０の制御部１２は、絶対値算出部１２１と、積分処理部１２２と、差分算出部１２３と、基準値生成部１２４と、アタック制御部１２６と、リリース制御部１２７と、切替部１２５と、電圧利得変換部１２８と、を有する。判定部１３は、パルスノイズ判定部１３１を備える。パルスノイズ除去部１４は、遅延部１４１と、減衰部１４２と、を有する。
【００２８】
受信機１０は受信信号を受信し、受信された受信信号はＩＦ帯域のＩＦ信号に変換される。該変換されたＩＦ信号は、主信号として処理されるＩＦ信号と、パルスノイズが含まれるか否かを判定するために使用されるモニタ用ＩＦ信号と、に分岐される。受信増幅部１１は、ＩＦ信号から分岐されたモニタ用ＩＦ信号を増幅する。
【００２９】
絶対値算出部１２１は、例えば、整流回路を使用してモニタ用ＩＦ信号の振幅を絶対値にする。積分処理部１２２は、モニタ用ＩＦ信号の振幅の絶対値を積分（平滑）し、ＩＦ信号の振幅に応じた信号値を差分算出部１２３とアタック制御部１２６とに出力する。差分算出部１２３は、積分処理部１２２が出力した信号値と、基準値生成部１２４が生成した基準値と、の差分を算出する。基準値をリファレンスレベルと称することもある。
【００３０】
切替部１２５は、該差分がゼロを超えた場合、すなわち、信号値が基準値を超えた場合、アタック制御部１２６によるアタック動作を選択するため、端子１と端子３とを接続する。これにより、ＡＧＣ電圧としてアタック制御部１２６の出力電圧が選択される。
【００３１】
また、切替部１２５は、該差分がゼロ以下の場合、すなわち、信号値が基準値以下の場合、リリース制御部１２７によるリリース動作を選択するため、端子１と端子２とを接続する。これにより、ＡＧＣ電圧としてリリース制御部１２７の出力電圧が選択される。ＡＧＣ電圧は、受信増幅部１１に設定する利得設定値に相当する。
【００３２】
判定部１３のパルスノイズ判定部１３１は、ＩＦ−ＡＧＣのＡＧＣ電圧の変化を監視し、所定条件の変化が起こったか否かを検出する。パルスノイズ判定部１３１は、ＡＧＣ電圧が所定の変化であることが検出された場合には、モニタ用ＩＦ信号にパルスノイズが含まれると判定する。また、パルスノイズ判定部１３１は、ＡＧＣ電圧が所定の変化であることが検出されない場合には、モニタ用ＩＦ信号にパルスノイズが含まれないと判定する。モニタ用ＩＦ信号にパルスノイズが含まれる場合は、分岐元のＩＦ信号にもパルスノイズが含まれ、モニタ用ＩＦ信号にパルスノイズが含まれない場合は、分岐元のＩＦ信号にもパルスノイズが含まれないことは自明である。
【００３３】
具体的には、パルスノイズ判定部１３１は、下記の式（１）と式（２）とが満たされた場合、モニタ用ＩＦ信号とＩＦ信号とのそれぞれにパルスノイズが含まれると判定する。
【００３４】
【数１】
2019169861.tif 000003
ただし、Ｔｋはアタック期間であり、Ｔｋｔはアタック期間閾値である。
【００３５】
制御部１２は、信号値が基準値を超えた場合、ＩＦ信号の振幅を所定範囲内に収めるために、ＡＧＣ電圧を下げて受信増幅部１１の利得を下げるアタック動作を行う。信号値が基準値を超えた場合とは、信号値と、基準値と、の差分がゼロを越えた場合とも称される。アタック期間Ｔｋとは、信号値と、基準値と、の差分がゼロを越えた期間のことである。また、アタック期間Ｔｋとは、アタック制御部１２６がアタック動作を行った期間としてもよい。アタック制御部１２６は、アタック期間算出用カウンタ１２６１を有する。アタック期間算出用カウンタ１２６１は、アタック期間Ｔｋ中に１サンプル毎の処理でカウントすることで、アタック期間Ｔｋを測定する。
【００３６】
アタック期間閾値Ｔｋｔは、予め決められた値である。アタック期間閾値を所定期間閾値と称することもある。
【００３７】
【数２】
2019169861.tif 000004
ただし、Ｖｇは電圧変化総量であり、Ｖｇｔは電圧平均変動量閾値である。
【００３８】
電圧変化総量Ｖｇは、アタック期間ＴｋにおけるＡＧＣ電圧の変化量の総量である。電圧平均変動量閾値Ｖｇｔは、ＡＧＣ電圧の平均変動量の閾値である。（電圧変化総量Ｖｇ／アタック期間Ｔｋ）は、パルスノイズに対してアタック動作を行った場合におけるＡＧＣ電圧の単位時間当たりの平均変動量である。ＡＧＣ電圧の単位時間当たりの平均変動量を、ＡＧＣ電圧の変化量と称することもある。電圧平均変動量閾値を、所定変化量閾値と称することもある。
【００３９】
パルスノイズ判定部１３１は、アタック期間Ｔｋがアタック期間閾値Ｔｋｔ未満であり、且つ、アタック期間ＴｋにおけるＡＧＣ電圧の変化量の総量が電圧平均変動量閾値Ｖｇｔを超える場合、モニタ用ＩＦ信号にパルスノイズが含まれると判定する。また、パルスノイズ判定部１３１は、この場合、ＩＦ信号にもパルスノイズが含まれると判定する。パルスノイズ判定部１３１は、ＩＦ信号にパルスノイズが含まれると判定した場合、パルスノイズ除去部１４にブランキング信号を通知する。
【００４０】
パルスノイズ除去部１４は、ＩＦ信号にパルスノイズが含まれると判定された場合にパルスノイズ判定部１３１から通知されたブランキング信号に基づいてパルスノイズの発生からブランキング期間Ｔｂだけ、ＩＦ信号の振幅を所定減衰量Ｄａだけ減衰させる。具体的には、パルスノイズ除去部１４は、減衰部１４２を有し、ブランキング信号に基づいて減衰部１４２の減衰量を制御し、ＩＦ信号の振幅を所定減衰量Ｄａだけ減衰させる。減衰部１４２は、例えば、可変増幅器又は可変減衰器である。
【００４１】
パルスノイズ判定部１３１によるパルスノイズが含まれるか否かの判定は、パルスノイズが過ぎ去った時に行われる。このため、パルスノイズ除去部１４が、ＩＦ信号にパルスノイズが含まれる期間にＩＦ信号を減衰させようとしてもタイミングが合わない。
【００４２】
そこで、実施の形態に係る受信機１０のパルスノイズ除去部１４は、ＩＦ信号に含まれるパルスノイズを遅延させる遅延部１４１を有する。パルスノイズ除去部１４は、遅延部１４１を使用してパルスノイズを遅延させることで、パルスノイズの開始タイミングとブランキング期間Ｔｂの開始タイミングとを同期させ、ＩＦ信号の振幅を減衰させる。すなわち、パルスノイズ除去部１４は、パルスノイズを遅延させ、パルスノイズとブランキング信号とを同期させてＩＦ信号の振幅を減衰させる。パルスノイズの振幅を減衰させることを、ブランキングと称する。
【００４３】
ブランキング期間Ｔｂは、例えば、０．０２５ミリ秒以上、１０ミリ秒以下の範囲で所定の値に設定してもよい。また、所定減衰量Ｄａは、例えば、−１００デシベル以上、−５デシベル以下の範囲で所定の値に設定してもよい。また、信号を急峻に減衰させることで、違和感のある音声として聞こえてしまうことがある。違和感のある音声として聞こえないようにするため、ブランキング信号にはロールオフフィルタを掛ける処理を行う。
【００４４】
ブランキング信号と同期をとるためのＩＦ信号の遅延量、すなわち、遅延部１４１の遅延量は、ブランキング期間Ｔｂとロールオフフィルタの遅延量と後述する帯域制限フィルタの帯域幅とから決定される。
【００４５】
受信機１０は、ＩＦ信号を帯域制限するための帯域制限フィルタ（図示せず）を複数備えてもよい。帯域制限フィルタは、複数の帯域制限フィルタから排他的に選択されてもよく、受信機１０が受信する電波形式や帯域幅に応じて選択される。パルスノイズは、帯域制限フィルタを通過することで、帯域制限フィルタの種類に応じて、信号の遅延量および時間幅も変化する。例えば、時間幅は、帯域制限フィルタを通過しない場合と比べて長くなる。また、パルスノイズが所定の帯域幅よりも狭い帯域幅の帯域制限フィルタを通過した場合、その時間幅は、所定の帯域幅の帯域制限フィルタを通過した場合よりも長くなる。すなわち、帯域制限フィルタの帯域幅が狭い程、該帯域制限フィルタを通過したパルスノイズの時間幅は長くなる。
【００４６】
このため、受信機１０のパルスノイズ除去部１４は、使用する帯域制限フィルタの種類に基づいてブランキング期間Ｔｂを変更してもよい。また、パルスノイズ除去部１４は、使用する帯域制限フィルタの帯域幅に基づいてブランキング期間Ｔｂを変更してもよい。
【００４７】
パルスノイズは、帯域制限フィルタを通過することで、その振幅が帯域制限フィルタを通過しない場合と比べて小さくなる。また、パルスノイズが所定の帯域幅よりも狭い帯域幅の帯域制限フィルタを通過した場合、その振幅は、所定の帯域幅の帯域制限フィルタを通過した場合よりも小さくなる。すなわち、帯域制限フィルタの帯域幅が狭い程、該帯域制限フィルタを通過したパルスノイズの振幅は小さくなる。
【００４８】
このため、受信機１０のパルスノイズ除去部１４は、使用する帯域制限フィルタの種類に基づいて所定減衰量Ｄａを変更してもよい。また、パルスノイズ除去部１４は、使用する帯域制限フィルタの帯域幅に基づいて所定減衰量Ｄａを変更してもよい。
【００４９】
制御部１２は、アタック制御部１２６、又は、リリース制御部１２７から出力されたＡＧＣ電圧を、受信増幅部１１の利得を制御する利得制御信号に変換する電圧利得変換部１２８を有する。電圧利得変換部１２８は、変換後の利得制御信号を受信増幅部１１に出力する。受信増幅部１１は、利得制御信号を使用して利得を制御する。
【００５０】
次に、実施の形態に係る受信機の動作を説明する。
図３は、実施の形態に係る受信機の動作を例示するフローチャートである。
【００５１】
図３に示すように、電圧利得変換部１２８は、ＡＧＣ電圧を、受信増幅部１１の利得を設定するため利得制御信号に変換する（ステップＳ１０１）。電圧利得変換部１２８は、変換した利得制御信号を受信増幅部１１に出力する。
【００５２】
受信増幅部１１は、利得制御信号に基づいてモニタ用ＩＦ信号を増幅する（ステップＳ１０２）。
【００５３】
絶対値算出部１２１は、モニタ用ＩＦ信号の振幅の絶対値を算出（整流）する（ステップＳ１０３）。
【００５４】
積分処理部１２２は、モニタ用ＩＦ信号の振幅の絶対値を積分（平滑）して、信号値を出力する（ステップＳ１０４）。
【００５５】
差分算出部１２３は、信号値が基準値を超えたか否かを判定する（ステップＳ１０５）。
【００５６】
切替部１２５は、信号値が基準値を超えた場合（ステップＳ１０５：Ｙｅｓ）、アタック制御部１２６によるアタック動作を選択するために、端子１と端子３とを接続する。アタック制御部１２６は、アタック動作を行う（ステップＳ１０６）。ＡＧＣ電圧更新部１２６２は、アタック動作に従ってＡＧＣ電圧を更新する（ステップＳ１０６）。
【００５７】
アタック制御部１２６は、アタック期間Ｔｋ中、ＡＧＣ電圧値を累積加算し、アタック期間ＡＧＣ電圧変化総量を算出する（ステップＳ１０７）。
【００５８】
アタック制御部１２６は、アタック期間Ｔｋを求めるため、アタック期間算出用カウンタ１２６１をインクリメントする（ステップＳ１０８）
【００５９】
切替部１２５は、信号値が基準値以下の場合（ステップＳ１０５：Ｎｏ）、リリース制御部１２７によるリリース動作を選択するために、端子１と端子２とを接続する。リリース制御部１２７は、今回のリリース動作がアタック動作後の初のリリース動作か否かを確認する（ステップＳ１０９）。
【００６０】
リリース制御部１２７のＡＧＣ電圧更新部１２７２は、今回のリリース動作がアタック動作後の初のリリース動作でない場合（ステップＳ１０９：Ｎｏ）、リリース動作のＡＧＣ電圧を更新する（ステップＳ１１０）。
【００６１】
リリース制御部１２７のＡＧＣ電圧更新部１２７２は、今回のリリース動作がアタック動作後の初のリリース動作である場合（ステップＳ１０９：Ｙｅｓ）、ＩＦ信号にパルスノイズが含まれるか否かをパルスノイズ判定部１３１に判定するよう指示を行う（ステップＳ１１１）。パルスノイズ判定部１３１は、モニタ用ＩＦ信号にパルスノイズが含まれると判定した場合、分岐元のＩＦ信号にパルスノイズが含まれると判定する。また、パルスノイズ判定部１３１は、モニタ用ＩＦ信号にパルスノイズが含まれないと判定した場合、分岐元のＩＦ信号にパルスノイズが含まれないと判定する。パルスノイズ判定部１３１は、判定結果をパルスノイズ除去部１４に出力する。
【００６２】
パルスノイズ判定部１３１が、パルスノイズが含まれていると判定した場合（ステップＳ１１１：Ｙｅｓ）、パルスノイズ判定部１３１は、パルスノイズ除去部１４に、ブランキング期間Ｔｂを設定する（ステップＳ１１２）。パルスノイズ除去部１４の遅延部１４１は、ＩＦ信号を所定時間分、遅延させる。パルスノイズ除去部１４の減衰部１４２は、遅延したＩＦ信号の振幅を可変増幅器又は可変減衰器を使用して所定減衰量Ｄａの減衰を行う。
【００６３】
アタック制御部１２６は、ステップＳ１１０の後、ステップＳ１１１がＮｏの場合、若しくは、ステップＳ１１２の後で、アタック期間算出用カウンタ１２６１をクリアする（ステップＳ１１３）。
【００６４】
アタック制御部１２６は、アタック期間ＡＧＣ電圧変化総量をクリアする（ステップＳ１１４）。
【００６５】
受信機１０は、ステップＳ１１４の後、ステップＳ１０１に戻る。
【００６６】
次に、実施の形態に係る受信機の効果を説明する。
【００６７】
図４Ａは、パルスノイズ除去部に入力するＩＦ信号を例示するグラフである。
図４Ａの横軸は時間を示し、縦軸は振幅を示す。図４Ａに示すＶｓは音声信号を示し、Ｐｎはパルスノイズを示す。
図４Ｂは、ブランキング信号を例示するグラフである。
図４Ｂの横軸は時間を示し、縦軸は減衰量設定のための電圧値を示す。
図４Ｃは、パルスノイズ除去部から出力するＩＦ信号を例示するグラフである。
図４Ｃの横軸は時間を示し、縦軸は振幅を示す。
図４Ａ〜図４Ｃは、帯域幅が２７００Ｈｚ（ヘルツ）の場合のグラフである。
【００６８】
図４Ａに示すように、ＩＦ信号には、Ｖｓで示す音声信号に加えて、Ｐｎで示すパルスノイズが含まれる。
【００６９】
図４ＡのＶｓで示す音声信号と、Ｐｎで示すパルスノイズと、を含むＩＦ信号が受信機１０に入力した場合、図４Ｂに示すように、図４ＡのＰｎで示すパルスノイズに同期したブランキング信号がパルスノイズ除去部１４に入力する。パルスノイズ除去部１４では、ブランキング信号の電圧が高い場合、減衰部１４２の減衰量は低く設定され、ブランキング信号の電圧が低い場合、減衰部１４２の減衰量は高く設定される。
【００７０】
受信機１０は、ＩＦ信号にパルスノイズが含まれると判定された場合、パルスノイズに同期した図４Ｂに示すブランキング信号に基づいてパルスノイズを抑圧し除去し、図４Ｃに示すようなＩＦ信号を出力する。パルスノイズ除去部１４から出力するＩＦ信号は、パルスノイズ除去部１４に入力するＩＦ入力信号と比べて、パルスノイズが除去されていることがわかる。
【００７１】
実施の形態に係る受信機１０は、ＩＦ信号にパルスノイズが含まれるか否かを判定するパルスノイズ判定部１３１と、パルスノイズを減衰させるパルスノイズ除去部１４と、を備える。これにより、パルスノイズが存在する受信環境において、効率的にパルスノイズを抑圧し除去するので、受信信号の了解度の低下を抑制することができる。
【００７２】
その結果、実施の形態においては、受信信号と共にパルスノイズを受信した際、受信信号の品質を向上することが可能な受信機及びプログラムを提供することができる。
【００７３】
尚、実施の形態では、受信増幅部１１の利得を制御するものとしてＡＧＣ電圧を使用する場合を例に挙げて説明したが、これには限定されない。
【００７４】
なお、本発明は上記実施の形態に限られたものではなく、趣旨を逸脱しない範囲で適宜変更することが可能である。
【符号の説明】
【００７５】
１、２、３…端子
１０…受信機
１１…受信増幅部
１２…制御部
１２１…絶対値算出部
１２２…積分処理部
１２３…差分算出部
１２４…基準値生成部
１２５…切替部
１２６…アタック制御部
１２６１…アタック期間算出用カウンタ
１２６２…ＡＧＣ電圧更新部
１２７…リリース制御部
１２７２…ＡＧＣ電圧更新部
１２８…電圧利得変換部
１３…判定部
１３１…パルスノイズ判定部
１４…パルスノイズ除去部
１４１…遅延部
１４２…減衰部
Ｔｋ…アタック期間
Ｔｋｔ…アタック期間閾値
Ｔｂ…ブランキング期間
Ｄа…所定減衰量
Ｖｇ…電圧変化総量
Ｖｇｔ…電圧平均変動量閾値
【図１】
2019169861.tif 000005
【図２】
2019169861.tif 000006
【図３】
2019169861.tif 000007
【図４Ａ】
2019169861.tif 000008
【図４Ｂ】
2019169861.tif 000009
【図４Ｃ】
2019169861.tif 000010